(57)【要約】【課題】  無理に力を入れず，容器等に入っているアイスクリームをすくって，容易に別の容器に移して盛り付けることができるアイスクリームディッシャーを提供する。【解決手段】  本発明に係るアイスクリームディッシャーは，ホルダ１１０内部の開口側に鋸状の歯１２３が形成され，グリップ１５０側にホルダ１１０を貫通する連結管１２５と一体形成された回転キャップ１２０が，ホルダ１１０内で回転可能に連結され，連結管１２５には駆動モータ１３０の駆動軸に連結されたスプライン軸１３７が挿入／突出される。駆動モータ１３０の一側にはソレノイド１４０のロッド１４１が連結され，他側には弾性部材１３９が設けられ，スプライン軸１３７の先端部にはホルダプレート１３８が連結される。駆動モータ１３０とソレノイド１４０は，駆動モータ１３０の回転および停止，ソレノイド１４０への電気信号の印加および遮蔽を制御するスイッチ部１５１と連結される。【選択図】    図３
2006110343.tif 000002
【特許請求の範囲】
【請求項１】
アイスクリームをすくって収容するためのホルダと，前記ホルダに連結されたグリップと，を備えたアイスクリームディッシャーにおいて：
前記ホルダ内部の開口側に鋸状の歯が形成され，かつ，前記グリップ側に設けられて前記ホルダを貫通する連結管と一体に形成された回転キャップが，前記ホルダ内で回転可能に連結され，
前記連結管には，駆動モータの駆動軸に連結されたスプライン軸が挿入／突出され，前記駆動モータの回転力を前記回転キャップに伝達し，
前記駆動モータの一側には，ソレノイドのロッドが連結され，
前記駆動モータの他側には，弾性部材が設けられ，
前記連結管を貫通した前記スプライン軸の先端部には，ホルダプレートが連結され，
前記駆動モータと前記ソレノイドは，バッテリーを通じて供給された電源により前記駆動モータの回転および停止，前記ソレノイドへの電気信号の印加および遮蔽を制御するスイッチ部と連結されることを特徴とする，アイスクリームディッシャー。
【発明の詳細な説明】
【技術分野】
【０００１】
本発明は，アイスクリームディッシャーに関し，より詳しくは，容器に入っているアイスクリームをすくって，容易に別の容器に移して盛り付けることができる電動式アイスクリームディッシャーに関する。
【背景技術】
【０００２】
一般に，アイスクリームは，暑い夏，体の熱気を冷やすために，記号によって混ぜた混合物を冷凍して作った食べ物である。アイスクリームの一般的な製造方法は，まず，クリーム，牛乳，または乳製品に卵，糖類，乳化安定剤を入れて，所望の乳脂肪分，乳固形分，甘美度になるように調合してベースミックスを作った後，このベースミックス混合物を約６０℃で加熱してから，均質機に入れて脂肪を分散させる。その後，３．６３℃で３０分，７５℃で１５分殺菌して２〜５℃まで冷却し，冷却した混合物に香料を入れて４〜１２時間冷却した状態を維持する。このように冷却した混合物を一緒に混ぜて空気を含有させ，−５℃〜−１０℃まで凍させてアイスクリームを製造する。
【０００３】
アイスクリームは，包装形態によって，所定形態のアイスクリームにスティックを挿してなるバー形式と，コーン形状のお菓子容器内にアイスクリームを盛りつけたコーン形式と，紙材質の包装容器内にアイスクリームを盛ったカップ形式などがある。これらのアイスクリームの形式の中で，コーン形式とカップ形式は，大型容器に詰められたアイスクリームの所定量をすくって，コーンまたはカップに盛り付ける。このような盛り付ける過程を容易にするための手段として，アイスクリームディッシャーが開発された。
【０００４】
このようなアイスクリームディッシャーの従来の構成について，図１を参照して説明する。
【０００５】
図１は，従来のアイスクリームディッシャーの全体構成を示す斜視図である。
【０００６】
図１を参照すると，アイスクリームホルダ１の一側中央に，支持板３が形成されたグリップ連結棒２の一側が固定結合されており，その結合部４の隙間はエポキシ樹脂でコーキング処理されている。また，グリップ連結棒２の上面一側には，レバー６と複数のギア溝７が一体に成型された作動板５がスプリング８と共に作動板支持用スクリュー９で固定されている。スプリング８の一側はレバー６の内側面にかかり，他側は支持板３にかかるようにされる。
【０００７】
さらに，アイスクリームホルダ１の内部には，ホルダベルト１０が設けられ，ギア１２と一体に成型された回転軸棒１１の一側をホルダ１に回転可能に貫通させて，ホルダベルト１０と溶接される。溶接部１３は錫で溶接されており，回転軸棒１１の他側は支持板３の上部に回転可能に連結して構成される。
【０００８】
一方，グリップの内部に空間を形成し，その内部空間にグリップ結合用スクリュー（図示せず）を入れて，連結棒２の後端部にグリップ結合用スクリューを結合して構成される。
【０００９】
このように構成された従来のアイスクリームディッシャーは，レバー６を内側（グリップ側）に引くとスプリング８が収縮して，作動板５に形成されたギア溝７が移動する。このとき，ギア溝７にはギア１２が係合しているので，ギア溝７が移動するによってギア１２が回転し，ギア１２と一体になっている回転軸棒１１とホルダベルト１０を回転させる。よって，アイスクリームホルダ１でアイスクリームをすくってから他の容器に盛り付けるとき，レバー６を引くとホルダベルト１０がホルダ１の内面に接触した状態で回転するから，アイスクリームを簡単に他の容器の移して盛り付けることができる。
【発明の開示】
【発明が解決しようとする課題】
【００１０】
しかしながら，上述したような従来のアイスクリームディッシャーには，次のような問題があった。
【００１１】
一般に，アイスクリームは固体状態を維持するように０℃以下の温度で凍結させて製造するため，所定の強度と粘性を維持する。よって，大容量の容器に詰まっているアイスクリームをアイスクリームホルダですくうためには，強い力が要求されるので，アイスクリームディッシャーを握っている手に痛みをもたらす場合がある。
【００１２】
さらに，アイスクリームホルダですくったアイスクリームは，アイスクリームホルダの内面に粘着されている。したがって，ホルダベルトをホルダ内面に接触するように回転させても，ホルダベルトが通った面のアイスクリームはホルダベルトの回転と共に回転して，再びホルダの内面に粘着する。そのため，アイスクリームをホルダから完全に取り外すためには，ホルダベルトを何回も回転させなければならないという問題もあった。
【００１３】
そこで，本発明は，このような従来のアイスクリームディッシャーの使用上の制約による問題に鑑みてなされたもので，その目的は，無理に力を入れず，容器等に入っているアイスクリームを簡単にすくうことができるアイスクリームディッシャーを提供することにある。
【００１４】
また，本発明の別の目的は，回転キャップに収容されるアイスクリームを押し出すことによって，回転キャップ内のアイスクリームを容易に取り外すことができる電動式アイスクリームディッシャーを提供することにある。
【課題を解決するための手段】
【００１５】
上記課題を解決するために，本発明のある観点によれば，例えば，容器に入っているアイスクリームをすくって収容するためのホルダと，このホルダに連結されてホルダを容易に握るようにするグリップと，を備えたアイスクリームディッシャーが提供される。上記アイスクリームディッシャーにおいては，ホルダ内部の下部（開口側）に鋸状の歯部が形成され，かつ，上部（グリップ側）にホルダを貫通する連結管と一体に形成された，アイスクリームを収容する略半球状の回転キャップが，例えばストップワッシャ等によりホルダに連結される。この回転キャップは，略半球状の形状でアイスクリームを収容するものである。また，上記連結管には，駆動モータの駆動軸に連結されたスプライン軸が挿入／突出され，駆動モータの回転力を回転キャップに伝達し，駆動モータの一側（上部）にはソレノイドのロッドが連結され，駆動モータの他側（下部）には例えばスプリング等の弾性部材が設けられている。また，ソレノイドに電気的信号が印加されると，下方に突出するロッドと弾性部材の弾性力により駆動モータが上昇／下降運動する。連結管を貫通したスプライン軸の先端部（下部）には，駆動モータの上昇／下降運動が伝達され，駆動モータの運動に連動して上昇／下降運動するホルダプレートが連結されている。また，駆動モータとソレノイドは，バッテリーを通じて供給された電源により駆動モータの回転および停止，ソレノイドへの電気信号の印加および遮蔽を制御するスイッチ部に連結されている。
【発明の効果】
【００１６】
本発明に係るアイスクリームディッシャーによれば，ホルダ内部に駆動モータの回転力を伝達して回転する回転キャップを設け，この回転キャップの下部に鋸状の歯を形成することによって，回転する鋸状の歯を用いて，容器等に入っているアイスクリームの所望の部位を切断して，アイスクリームを簡単にすくうことができる。
【００１７】
さらに，アイスクリームをすくった後は，ソレノイドのロッドの下降運動および弾性部材の引張力を用いて，回転キャップの内側に位置したホルダプレートを上昇／下降させ，回転キャップ内に収容されたアイスクリームを押し出すことによって，回転キャップ内のアイスクリームを容易に取り外して別の容器に盛り付けることができる。
【発明を実施するための最良の形態】
【００１８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１９】
（本発明の一実施形態に係るアイスクリームディッシャーの構成）
図２は，本発明の一実施形態に係る電動式アイスクリームディッシャーの全体構成を示した斜視図であり，図３は，図２に示した本発明の一実施形態に係る電動式アイスクリームディッシャーの各部材の構成を示した分解斜視図である。
【００２０】
図２および図３に示すように，本実施形態の電動式アイスクリームディッシャーは，ホルダ１１０と，ホルダ１１０内に設けられてアイスクリームを収容するための収容溝１２１が形成された回転キャップ１２０と，回転キャップ１２０に回転力を提供する駆動モータ１３０と，駆動モータ１３０を上昇／下降運動させて回転キャップ１２０に収容されたアイスクリームを取り外すようにするソレノイド１４０および弾性スプリング１３９と，ソレノイド１４０および弾性スプリング１３９を収容し，これらを制御するためのスイッチ部１５１が設けられたグリップ１５０と，から主に構成される。
【００２１】
ホルダ１１０は，下部が開口された略半球状で，内部に中空部が形成され，その上部には外周縁にねじ部１１４ａが備えられた締結部１１４が形成される。また，締結部１１４の内側，すなわち，ホルダ１１０の上部には貫通孔１１２が形成される。
【００２２】
ホルダ１１０内に設けられる回転キャップ１２０は，その内部にアイスクリーム収容溝１２１が形成され，下部（回転キャップ１２０の開口側）には複数の鋸状の歯１２３が形成され，上部（グリップ１５０側）には連結管１２５が形成される。連結管１２５の内側にはスプライン孔１２７が形成され，外周縁にはストップワッシャ１２２が挿入されるように連結溝１２８が形成される。なお，スプライン１２７の内周縁には，複数の溝（図示せず）が形成される。
【００２３】
回転キャップ１２０の上方（グリップ１５０側）に設置される駆動モータ１３０は，Ｌ字形ブラケット１３２に固定され，駆動モータ１３０の駆動軸の下部（回転キャップ１２０の開口側）はスプライン軸１３７と連結される。スプライン軸１３７の外周縁には，スプライン溝１２７の内周縁に形成された複数の溝と係合するように，複数の突起（図示せず）が形成され，その開口側の先端部にはホルダプレート１３８が連結される。さらに，スプライン軸１３７の外周縁には弾性スプリング１３９が挿入される。
【００２４】
一方，回転キャップ１２０に回転力を提供する駆動モータ１３０の上方に設置されるソレノイド１４０の一側には，下方に挿入／突出されるロッド１４１が設けられている。
【００２５】
駆動モータ１３０とソレノイド１４０が収容されるグリップ１５０の外周縁の一側には，駆動モータ１３０の回転および停止信号とロッド１４１の下降を制御するためのスイッチ部１５１が設けられる。スイッチ部１５１は，通常使用されるｏｎ／ｏｆｆスイッチからなることが好ましい。
【００２６】
なお，グリップ１５０の内周縁上部には，駆動モータ１３０およびソレノイド１４０に電源を供給するためのバッテリーＢ（図４ａ，図４ｂ参照）が設けられ，内周縁下部にはホルダ１１０のねじ部１１４ａと係合するナット部（図示せず）が形成される。
【００２７】
また，本実施形態に係るアイスクリームディッシャーにおいては，ホルダ１１０の貫通孔１１２に連結管１２５を挿入し，貫通孔１１２に挿入され突出した連結管１２５の連結溝１２８にはストップワッシャ１２２が挿入／固定される。このようにして，ホルダ１１０内で回転キャップ１２０が回転可能となる。一方，スプライン溝１２７にはスプライン軸１３７が挿入／突出される。スプライン軸１３７の先端部にはホルダプレート１３８が連結され，連結管１２５の上部に突出されたスプライン軸１３７は駆動モータ１３０の駆動軸と連結され，その外周縁には弾性スプリング１３９が挿入される。駆動モータ１３０はＬ字形ブラケット１３２により固定される。なお，Ｌ字形ブラケット１３２はソレノイド１４０のロッド１４１と接している。駆動モータ１３０とソレノイド１４０は，スイッチ部１５１およびバッテリーＢと連結され，駆動モータ１３０とソレノイド１４０の制御および電源供給をする。このようにスイッチ部１５１とバッテリーＢが設けられたグリップ１５０とホルダ１１０とは，ねじで結合される。
【００２８】
（本発明の一実施形態に係るアイスクリームディッシャーの動作等）
上述したように構成された本実施形態に係る電動式アイスクリームディッシャーは，駆動モータの回転力とソレノイドの下降運動およびスプリングの弾性力を用いて，容器内のアイスクリームをすくって，容易に別の容器に盛り付けることができる。以下，図４ａおよび図４ｂ，図５ａ〜図５ｃを参照しながら，このようなアイスクリームディッシャーの動作および使用方法等について説明する。
【００２９】
ここで，図４ａおよび図４ｂは，本実施形態に係る電動式アイスクリームディッシャーの動作を示す縦断面図であり，図４ａは，アイスクリームをすくう際の状態を示し，図４ｂは，アイスクリームを盛り付ける際の状態を示すものである。また，図５ａ〜図５ｃは，本実施形態に係る電動式アイスクリームディッシャーの使用方法を示す説明図であり，図５ａおよび図５ｂは，アイスクリームをすくう際の状態を示し，図５ｃは，アイスクリームを盛り付ける際の状態を示すものである。
【００３０】
図４ａ，ｂおよび図５ａ，ｂを参照すると，まず，容器Ｗの内部に収容されたアイスクリームの上面にホルダ１１０を位置させてから，スイッチ部１５１を作動させると，バッテリーＢの電源が駆動モータ１３０に印加され，駆動モータ１３０が作動し，回転力が発生する。このような駆動モータ１３０の回転力は，駆動軸（図示せず），スプライン軸１３７に伝達され，さらに，伝達された回転力が回転キャップ１２０に伝達されることにより回転キャップ１２０が回転する。回転キャップ１２０が回転すると，回転キャップ１２０の下部に形成された鋸状の歯１２３が回転して，容器Ｗに収容されたアイスクリームを切断して容易にすくうことができる。このようにアイスクリームをすくう過程が済んでから，再びスイッチ部１５１を押すと，駆動モータ１３０の回転が停止する。
【００３１】
次に，図５ｃに示すように，すくったアイスクリームを別の容器Ｗ′の上部に位置させてから，スイッチ部１５１を作動させると，バッテリーＢの電源がソレノイド１４０に印加され，ソレノイド１４０のロッド１４１を下降させる。下降したロッド１４１はＬ字形ブラケット１３２，駆動モータ１３０，スプライン軸１３７およびホルダプレート１３８を下降させる。ホルダプレート１３８が下降すると，回転キャップ１２０内に収容されたアイスクリームを押し出して，別の容器Ｗ′内部にアイスクリームを入れることができる。別の容器Ｗ′にアイスクリームを移して盛り付けた後，再びスイッチ部１５１を押してソレノイド１４０に印加される電源を遮蔽して，下降するロッド１４１の運動を停止させる。ロッド１４１の運動が停止されると，弾性スプリング１３９の弾性力により駆動モータ１３０およびロッド１４１が上方に押し上がり，初期状態に戻すことことができる。このように，本実施形態に係るアイスクリームディッシャーによれば，無理な力を必要とせず，単純なスイッチ操作により容器に収容されたアイスクリームを容易に移して盛り付けることができる。
【００３２】
また，図５ｂに図示されたように，本実施形態の電動式アイスクリームディッシャーを用いて容器Ｗ内のアイスクリームをすくう過程で，アイスクリーム表面に電動式アイスクリームディッシャーを所定角度傾けることによって，より容易に容器Ｗ内のアイスクリームをすくえるようになる。
【００３３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００３４】
本発明は，アイスクリームディッシャーに適用可能であり，特に，容器に入っているアイスクリームをすくって，別の容器に容易に移して盛り付けることができる電動式アイスクリームディッシャーに適用可能である。
【図面の簡単な説明】
【００３５】
【図１】従来のアイスクリームディッシャーの全体構成を示す斜視図である。
【図２】本発明の一実施形態に係る電動式アイスクリームディッシャーの全体構成を示す斜視図である。
【図３】本発明の一実施形態に係る電動式アイスクリームディッシャーの各部材の構成を示す分解斜視図である。
【図４ａ】本発明の一実施形態に係る電動式アイスクリームディッシャーの動作を示す縦断面図であり，アイスクリームをすくう際の状態を示すものである。
【図４ｂ】本発明の一実施形態に係る電動式アイスクリームディッシャーの動作を示す縦断面図であり，アイスクリームを盛り付ける際の状態を示すものである。
【図５ａ】本発明の一実施形態に係る電動式アイスクリームディッシャーの使用方法を示す説明図であり，アイスクリームをすくう際の状態を示すものである。
【図５ｂ】本発明の一実施形態に係る電動式アイスクリームディッシャーの使用方法を示す説明図であり，アイスクリームをすくう際の状態を示すものである。
【図５ｃ】本発明の一実施形態に係る電動式アイスクリームディッシャーの使用方法を示す説明図であり，アイスクリームを盛り付ける際の状態を示すものである。
【符号の説明】
【００３６】
１１０      ホルダ
１２０      回転キャップ
１２３      鋸の歯
１２５      連結管
１３０      駆動モータ
１３７      スプライン軸
１３８      ホルダプレート
１３９      弾性スプリング
１４０      ソレノイド
１４１      ロッド
１５０      グリップ
１５１      スイッチ部
Ｂ      バッテリー
Ｗ      容器
【図１】
2006110343.tif 000003
【図２】
2006110343.tif 000004
【図３】
2006110343.tif 000005
【図４ａ】
2006110343.tif 000006
【図４ｂ】
2006110343.tif 000007
【図５ａ】
2006110343.tif 000008
【図５ｂ】
2006110343.tif 000009
【図５ｃ】
2006110343.tif 000010